(57)【特許請求の範囲】
【請求項１】
地下に設けられる水槽への入り口を開閉するための回動自在の人孔蓋の構造において、
人孔蓋本体に固定された断面円形状の回動中心軸と、
上記回動中心軸の断面と略同形状の開口を有し、該開口で上記回動中心軸を回動自在に支持すると共に上記回動中心軸の軸方向に摺動自在に支持してなる軸支持部と、
上記人孔蓋が全開と全閉との間の所定角度位置に回動され、更に上記人孔蓋と共に上記回動中心軸がその軸方向に摺動されることにより係合して上記人孔蓋を上記所定角度位置で固定する人孔蓋固定手段と、
を備えてなることを特徴とする人孔蓋の構造。
【請求項２】
上記人孔蓋固定手段が、該人孔蓋の回動中心に設けられた係合部材により構成されてなる請求項１に記載の人孔蓋の構造。
【請求項３】
該人孔蓋が水平の全閉位置から１８０度回動した水平の全開位置まで回動自在であり、上記人孔蓋固定手段が、該人孔蓋の回動中心に設けられ、該人孔蓋をその回動中心軸の方向に摺動させることにより離合するキーとキー溝から構成されてなる請求項１又は２のいずれかに記載の人孔蓋の構造。
【請求項４】
上記人孔蓋が閉じた時に、上記水槽の床面に設けられた垂直枠を水平方向の所定の隙間を介して取り囲むと共に上記床面との間に垂直方向の所定の隙間を介して対向する外枠を備えてなり、上記垂直枠に上記入り口と上記水平方向の隙間とを連通する窓部が形成されてなる請求項１〜３のいずれかに記載の人孔蓋の構造。
【請求項５】
上記人孔蓋の摺動幅が、上記水平方向の所定の隙間より小さく設定されてなる請求項１〜４のいずれかに記載の人孔蓋の構造。
【発明の詳細な説明】
【０００１】
【発明の属する技術分野】
本発明は、地下に設けられる水槽への入り口を開閉するための回動自在の人孔蓋の構造に係り、特に、上記人孔蓋を全開と全閉との間の所定角度位置で固定することのできる人孔蓋の構造に関するものである。
【０００２】
【従来の技術及びその問題点】
従来の人孔蓋１は、開状態を表す図７に示すように構成されている。
ここに、図７は従来の人孔蓋の構造を示すものであって、（ａ）は平面図、（ｂ）は一部断面を有する側面図である。この従来例に係る人孔蓋１０では、図７（ａ）、（ｂ）に示すごとく、平面視で正方形状に形成されており、前記水槽への入り口であるマンホール２の周壁２ａに沿って上方へ第１の筒状体１１（垂直枠の一例）が立ち上げられている。上記第１の筒状体１１の四方の周壁には、それぞれ通気孔１２が２個づつ開口されており、該通気孔１２は、それぞれステンレス製の金網１３により覆われている。そして、この金網１３により空気の流通が許容されると共に、異物の配水池内部への侵入が阻止される。
さらに、上記第１の筒状体１１の上部開口１１ａを覆うようにして、蓋本体１４（人孔蓋）が回動中心軸１５により開閉自在に支持されている。この蓋本体１４の周囲には、上記第１の筒状体１１よりも立ち下がり寸法が短尺で、その外径寸法よりも大きい内径寸法の第２の筒状体１６（外枠の一例）が設けられている。すなわち、この寸法関係を同図（ｂ）に基づいて説明すると、例えば、上記第１の筒状体１１の立ち上がり寸法をＨ、その外径寸法をＤ、上記第２の筒状体１６の立ち下がり寸法をｈ、その内径寸法をＩとした場合、Ｈ＞ｈ、Ｄ＜Ｉとなる。これにより、上記第２の筒状体１６の内面側と上記通気孔１２とが対向する部分、上記第２の筒状体１６の下方にはそれぞれ適宜の隙間２０が確保され、上記マンホール２と大気とは矢印１７ａ、１７ｂで示すごとく連通されることとなる。さらに、上記第２の筒状体１６が上記通気孔１２の周囲を覆うようにして立ち下がっていることより、マンホール２、ひいては水槽内部への雨水やほこりなどの侵入も効果的に防止される。
上記したようにこの従来例にかかる人孔蓋では、マンホール２を開閉する人孔蓋本来の機能に加えそのマンホール２自体を通気孔として利用し、配水池１内部を換気する換気機能をも兼ね備え得たものである。これにより、配水池構造の簡単化およびコストダウンを図ることとが可能となった。
更にこの従来例に係る人孔蓋組立体１０では、第２の筒状体１６の側部に設けられたプレート１８と第１の筒状体１１側に設けられたプレート１９の孔に鍵を掛けることにより当該人孔蓋組立体１０をロックすることができ、その安全性の確保が図られる。尚、上記従来例においては、平面視で正方形状の人孔蓋について説明したが、他の形状として、例えば円形状あるいは矩形状の場合もありうることはいうまでもない。
上記蓋本体１４は、マンホール２を完全に閉じる図示の水平位置から、床面に接触するまで完全に開く水平位置まで矢印Ｘに示すように１８０度開閉自在であり、マンホール２を開いて水槽内の作業を行なう場合には、通常全開の位置に置かれる。
上記のような従来の人孔蓋は、特許文献１に開示されている。
【０００３】
【特許文献１】
特開平07-247566号公報
【０００４】
【発明が解決しようとする問題点】
従来の人孔蓋は上記のように構成され、水槽内のメンテナンス作業などを行なう時には全開状態となり、蓋本体１４が単に床に接して置かれるような状態となるが、上記のようなマンホールは場合によって風の吹く外部に設けられることもあり、風が強いと蓋本体１４が煽られて舞い上がり、突然蓋が閉まるといったことも起こり得る。このようなことは蓋の閉じ動作を予想していない作業者にとって極めて危険である。
そのために、蓋部材を全開位置に固定する部材を床に設けることも考えられるが、これは床面上の場所を取り広い床空間が確保できないという点で問題となる。
また上記従来の人孔蓋のように、作業時に蓋を床に平行になるまで１８０度開けるものでは、このように全開になった蓋がマンホールの周りの床の自由に使用できる空間を狭めるので、メンテナンス作業などに必要な工具や計器の置き場所を広く確保できないという問題もあった。
そのため本発明は、人孔蓋を途中の開位置で固定することが出来、従って床面上の場所を取らない便利な固定手段を備えた人孔蓋の提供を目的とするものである。
【０００５】
【課題を解決するための手段】
上記目的を達成するために本発明は、
地下に設けられる水槽への入り口を開閉するための回動自在の人孔蓋の構造において、人孔蓋本体に固定された断面円形状の回動中心軸と、上記回動中心軸の断面と略同形状の開口を有し、該開口で上記回動中心軸を回動自在に支持すると共に上記回動中心軸の軸方向に摺動自在に支持してなる軸支持部と、上記人孔蓋が全開と全閉との間の所定角度位置に回動され、更に上記人孔蓋と共に上記回動中心軸がその軸方向に摺動されることにより係合して上記人孔蓋を上記所定角度位置で固定する人孔蓋固定手段と、を備えてなることを特徴とする人孔蓋の構造として構成されている。
この場合、上記人孔蓋固定手段としては、該人孔蓋の回動中心に設けられた係合部材により構成されることが望ましい一形態である。
詳しく述べれば、該人孔蓋が水平の全閉位置から１８０度回動した水平の全開位置まで回動自在であり、上記人孔蓋固定手段が、該人孔蓋の回動中心に設けられ、該人孔蓋をその回動中心軸の方向に摺動させることにより離合するキーとキー溝から構成されてなるものが小型化できて有利な実施例である。
そして、上記人孔蓋が閉じた時に、上記水槽の床面に設けられた垂直枠を水平方向の所定の隙間を介して取り囲むと共に上記床面との間に垂直方向の所定の隙間を介して対向する外枠を備えてなり、上記垂直枠に上記入り口と上記水平方向の隙間とを連通する窓部が形成されてなるのように構成することで、蓋を閉じた時にも水槽内の通気を確保できる。
更に詳しくは、上記人孔蓋の摺動幅を、上記水平方向の所定の隙間より小さく設定することで蓋を閉めたときにも外枠が垂直枠と干渉する問題を解消できる。
【０００６】
【発明の実施の形態】
続いて添付図面を参照して本発明を具体化した実施形態について説明し、本発明の理解に供する。
ここに図１は、本発明の一実施形能に係る人孔蓋の閉じた状態の構造を示す平面図、図２は、図１に示した人孔蓋の正面、図３は、蓋を固定位置まで開いた状態を示す平面図、図４は、蓋を固定位置まで開いた状態を示す正面図、図５は、人孔蓋の回動中心軸部分の詳細を示す正面図、図６は、同回動中心軸部分の詳細を示すもので（ａ）は軸支持部の正面図、（ｂ）は、回動中心軸のキーを設けた部分を示す断面図、（ｃ）は、蓋と軸支持部とそこに支持される回動中心軸を概念的に示す概念図、図７は、従来の人孔蓋を示すもので（ａ）は、平面図、（ｂ）は正面図である。
この実施形態にかかる人孔蓋組立体１０ａは、図１に示すように、地下に設けられた水槽への入り口であるマンホール２の周囲の床面に設けられた平面視で矩形状の第１の筒状体（垂直枠の一例）１１と、上記床面に設けられた水平の回動中心軸１５の回りに回動自在な蓋本体１４を具備し、該蓋本体１４は、蓋本体１４を閉じた時（図２参照）、上記第１の筒状体１１と所定の水平方向の隙間２０を介して対向する平面視で矩形状の第２の筒状体１６を備えている点、及び、上記第１の筒状体１１には、網が設けられた複数の通気孔１２が形成され、上記蓋本体１４が閉じた時に、上記蓋本体１４が上記第１の筒状体１１の上端に接触してマンホール２が完全に閉じられた場合でも、上記マンホール２内の空間が上記通気孔１２を介して上記第１の筒状体１１と第２の筒状体１６の間の水平方向の隙間２０と連通するので、水槽内の通気が図られることになる点、更には、上記蓋本体１４は、マンホール２を完全に閉じる水平位置から、床面に接触するまで完全に開く水平位置まで１８０度開閉自在であり、マンホール２開いて水槽内の作業を行なう場合には、通常上記のように全開の位置に置かれる点については、図７に示した従来の人孔蓋と同様である。
しかしながら、この実施形態に係る人孔蓋組立体１０ａにあっては、図５及び図６に示す如く、上記蓋本体１４に固定された断面円形状の回動中心軸１５を回動自在に支持する上記回動中心軸の断面と略同形状の開口を有する軸支持部２１に近い端部にキー２２が固定されている点、また上記軸支持部２１に上記キー２２と係合するキー溝２３が形成されている点、更には、上記回動中心軸１５が上記軸支持部２１に軸芯方向に摺動自在である点において従来の人孔蓋組立体１０とは大きく異なる。また上記キー２２及びキー溝２３は、該蓋本体１４が全開位置と全閉位置の中間の位置に来た時に係合可能な位置に形成されている。
上記キー溝２３は、蓋本体１４を回動させてキー２２がキー溝２３に合致する位置に来た時、蓋本体１４が図4に示すように、全閉位置（図２に実線で示された位置）と、全開位置（図２に破線１４ａで示す位置）の中間位置に来る位置に形成されている。
従って、風が吹く日等に水槽内の作業を行なう作業者は、上記のようにキー２２がキー溝２３に合致する位置まで蓋本体１４を回動した後、蓋本体１４をそれと一体の回動中心軸１５ごと回動中心軸１５の軸芯方向に摺動させることで上記キー２３溝にキー２２を差し込み、回動中心軸１５の回動を不能とする。即ち、蓋本体１４を固定することができる。これによってたとえ風が吹いても蓋本体１４が突然しまって操作者が怪我をするといった不都合が完全に回避される。
またこの装置では、上記キー２２とキー溝２３との係合によって蓋本体１４の回動を防止しているので、蓋本体１４を床に固定するような部品を床に配置する必要もなく、床の利用性を損なうことがない。そして、蓋本体１４を全開状態で作業することは、床の利用面積を狭めることとなるが、この実施形態では、蓋本体１４を全閉位置と全開位置の途中で固定することができるので、全開位置でしか水槽の作業を行うこと出来なかった従来の人孔蓋と較べて、蓋本体１４を途中まで開けた状態でも安心して作業できるので、床面の使用効率を向上させることにも成功したものである。
またこの装置では、上記蓋本体１４の摺動距離が、上記第１の筒状体１１と第２の筒状体１６との間の水平方向の隙間２０の幅より小さく設定されている。そのため、蓋本体１４を摺動させた状態で蓋本体１４を閉めても、上記蓋本体１４の第２の筒状体１６と床側の第１の筒状体１１とが干渉する問題が生じない。
【０００７】
【実施例】
上の実施形態では、軸支持部２１にキー溝２３を形成したが、キー溝２３の形成場所はこれに限らず、床に固定された別の部材に形成されても良い。またキー２２が軸支持部２１側に、またキー溝２３が軸側に形成されることも考えうる。更に蓋本体１４をその回動途中で固定する手段としては、上記のようなキーとキー溝との組合せに限らず任意の係合手段が採用可能である。例えば何らかの当たりと、これを収容する係合部のようなもの、角軸とこれを収容可能な角孔或は角溝のようなもの、更には人間が何らかのピンやキーを差し込むことによって回動中心軸或は蓋本体１４の回動が固定されるようなものも本発明の範囲である。
【０００８】
【発明の効果】
本発明に係る人孔蓋は、上記したように構成されているので、風が吹く日等に水槽内の作業を行なう場合でも、蓋を固定することができるので蓋が風に煽られて突然しまってしまうといった危険性が回避される。また、蓋が全閉と全開の中間位置で固定されるので、全開状態で作業する場合と較べて床の使用効率が向上する。更に、床に蓋の固定部材手段を設けるとその分床の有効使用の妨げとなるが、この発明にかかる塵覆板では、回動中心軸部に蓋の固定手段が設けられるので、床の有効な使用が確保される。また、上記蓋の摺動距離を、垂直枠と外枠の間の隙間より小さくすることで、垂直枠と外枠の干渉も防止できる。
【図面の簡単な説明】
【図１】  本発明の一実施形能に係る人孔蓋の閉じた状態の構造を示す平面図。
【図２】  図１に示した人孔蓋の正面。
【図３】  蓋を固定位置まで開いた状態を示す平面図。
【図４】  蓋を固定位置まで開いた状態を示す正面図。
【図５】  人孔蓋の回動中心軸部分の詳細を示す正面図。
【図６】  回動中心軸部分の詳細を示すもので（ａ）は軸支持部の正面図、（ｂ）は、回動中心軸のキーを設けた部分を示す断面図、（ｃ）は、蓋と軸支持部とそこに支持される回動中心軸を概念的に示す概念図。
【図７】  従来の人孔蓋を示すもので（ａ）は、平面図、（ｂ）は正面図。
【符号の説明】
１０ａ…人孔蓋
２…マンホール（入り口）
１０…人孔蓋組立体
１１…第１の筒状体（垂直枠）
１６…第２の筒状体（外枠）
１５…回転中心軸
２１…軸支持部
２０…隙間
２２…キー
２３…キー溝
【図１】
0003706854.tif 000002
【図２】
0003706854.tif 000003
【図３】
0003706854.tif 000004
【図４】
0003706854.tif 000005
【図５】
0003706854.tif 000006
【図６】
0003706854.tif 000007
【図７】
0003706854.tif 000008